(57)【要約】【課題】プロセスを簡単にしてコストダウンを達する導光装置を提供する。【解決手段】導光装置を提供した。この導光装置は、基板と、前記基板の表面に設置される複数のパターンとを備えてなり、前記複数のパターンの材質は粘着物と反射材を含むことを特徴とする。【選択図】図３
2008204943.tif 000002
【特許請求の範囲】
【請求項１】
基板と、
前記基板の表面に設置される複数のパターンとを備えてなり、
前記複数のパターンの材質は粘着物と反射材を含むことを特徴とする導光装置。
【請求項２】
前記基板は導光材であり、
前記粘着物は接着剤であり、
前記反射材は二酸化ケイ素または酸化チタンからなり、
前記複数のパターンは印刷手段により前記基板の表面に形成されることを特徴とする請求項１記載の導光装置。
【請求項３】
前記導光材は板材または薄膜であり、
前記板材の材質はポリメタクリル酸・メチル樹脂（ＰＭＭＡ）であり、
前記薄膜の材質はポリカーボネート樹脂（ＰＣ）またはポリエチレンテレフタレート樹脂（ＰＥＴ）であることを特徴とする請求項２記載の導光装置。
【請求項４】
電子装置に応用される押しボタン装置であって、
導光板と、
前記導光板の表面に設置される複数のパターンとを備えてなり、
前記複数のパターンの材質は粘着物と反射材を含むことを特徴とする押しボタン装置。
【請求項５】
前記導光材は板材または薄膜であり、
前記板材の材質はポリメタクリル酸・メチル樹脂（ＰＭＭＡ）であり、
前記薄膜の材質はポリカーボネート樹脂（ＰＣ）またはポリエチレンテレフタレート樹脂（ＰＥＴ）であり、
前記粘着物は接着剤であり、
前記反射材は二酸化ケイ素または酸化チタンからなることを特徴とする請求項４記載の押しボタン装置。
【請求項６】
電子装置に応用される押しボタン装置であって、
導光板と、
前記導光板の表面に設置される複数のパターンと、
前記複数のパターンに直接に接続される複数の金属ドームを備えてなり
前記複数のパターンの材質は粘着物と反射材を含むことを特徴とする押しボタン装置。
【請求項７】
前記導光材は板材または薄膜であり、
前記板材の材質はポリメタクリル酸・メチル樹脂（ＰＭＭＡ）であり、
前記薄膜の材質はポリカーボネート樹脂（ＰＣ）またはポリエチレンテレフタレート樹脂（ＰＥＴ）であり、
前記粘着物は接着剤であり、
前記反射材は二酸化ケイ素または酸化チタンからなることを特徴とする請求項４記載の押しボタン装置。
【発明の詳細な説明】
【技術分野】
【０００１】
この発明は導光装置に関し、特に電子装置に応用される導光装置に関する。
【背景技術】
【０００２】
バックライトモジュールには、導光板は光線をガイドして、ディスプレイの輝度を向上させて明度を制御する機能を有している。図１は従来の導光装置を示す図である。図１に示したように、光源１１は導光板１２の側面に配置される。光源１１からの光線は導光板１２の側面より導光板１２に入って、導光板１２の中を繰り返して反射して、入射光線の反対の方向に向いて進んでゆく。光線が反射される際に、部分の光線は導光板１２の小さな突出したパターン１３によって散乱されて、それゆえに導光板１２の表面より射出して液晶ディスプレイの照明光源を構成する。それらのパターン１３は網版印刷またはエッチングプロセスによって形成されることがある。
【０００３】
図２は従来の導光装置が携帯電話に応用される時を示す図である。導光板が例えば携帯電話のような携帯用電子装置の押しボタン装置に応用される際に、パターンを有する導光板の側には、ドームシート２４を粘着するための粘着層２３が配置されてある。ドームシート２４は、表面１４１に粘着性物質があるので、金属ドーム２５を粘着してプリント配線基板（ＰＣＢ）２６に接続されることができる。しかしながら、このようにすると時間がかかり、携帯電話の小型化の障害となっている。
【発明の開示】
【発明が解決しようとする課題】
【０００４】
プロセスを簡単にしてコストダウンを達するために、本発明の導光装置を提供する。本発明の導光装置は発光するキーボードや押しボタン装置などに応用されることができ、そして携帯電話、ＰＤＡ、ＧＰＳ、ＤＶ、携帯用のＤＶＤなどに応用されることができる。コストダウンを達するだけでなく、それによってより小型の携帯用電子装置またはラップトップコンピューターを製造することも出来る。
【０００５】
したがって、新たな導光装置を提出する必要がある。それに基づいて従来のプロセスを簡単にして導光装置の応用性を向上させることができる。
【課題を解決するための手段】
【０００６】
本発明によると導光装置が提供される。この導光装置は基板と、前記基板の表面に設置される複数のパターンとを備えてなり、前記複数のパターンの材質は粘着物と反射材を含むことを特徴とする。
【０００７】
前記基板は導光材であり、前記粘着物は接着剤であり、前記反射材は二酸化ケイ素または酸化チタンであり、前記複数のパターンは印刷手段により前記基板の表面に形成されることを特徴とする。
【０００８】
前記導光材は板材または薄膜であり、前記板材の材質はポリメタクリル酸・メチル樹脂（ＰＭＭＡ）であり、前記薄膜の材質はポリカーボネート樹脂（ＰＣ）またはポリエチレンテレフタレート樹脂（ＰＥＴ）であることを特徴とする。
【０００９】
本発明はさらに電子装置に応用される押しボタン装置を提供する。この押しボタン装置は、導光板と、前記導光板の表面に設置される複数のパターンとを備えてなり、前記複数のパターンの材質は粘着物と反射材を含むことを特徴とする。
【００１０】
さらに、本発明は電子装置に応用される押しボタン装置を提供する。この押しボタン装置は、導光板と、前記導光板の表面に設置される複数のパターンと、前記複数のパターンに直接に接続される複数の金属ドームを備えてなり、前記複数のパターンの材質は粘着物と反射材を含むことを特徴とする。
【００１１】
前記導光材は板材または薄膜であり、前記板材の材質はポリメタクリル酸・メチル樹脂（ＰＭＭＡ）であり、前記薄膜の材質はポリカーボネート樹脂（ＰＣ）またはポリエチレンテレフタレート樹脂（ＰＥＴ）であり、前記粘着物は接着剤であり、前記反射材は二酸化ケイ素または酸化チタンであることを特徴とする。
【発明の効果】
【００１２】
従来の手段によって製造される携帯電話に比べて、本発明の導光装置によって製造される電子装置はプロセスを簡単にすることができる。特に、反射板の上にあるパターンが粘着性を有するので、ドームシートを設置することなく、より小型の携帯用電子装置を製造することが出来る。
【発明を実施するための最良の形態】
【００１３】
図３は本発明の第１の実施の形態の導光装置を示す図である。本発明の導光装置３０は基板３１と、基板３１の表面３１１に設置される複数のパターン３２とを備えてなる。複数のパターン３２の材質は粘着物と反射材を含む。
【００１４】
この第１の実施の形態において、基板３１は導光材であり、導光材は板材または薄膜であっても好ましい。板材の材質はポリメタクリル酸・メチル樹脂（ＰＭＭＡ）であり、薄膜の材質はポリカーボネート樹脂（ＰＣ）またはポリエチレンテレフタレート樹脂（ＰＥＴ）であってもよい。当業者は従来の導光材を採用して基板３１を製造してもよい。粘着物は接着剤であり、反射材は二酸化ケイ素または酸化チタンであっても好ましい。当業者は従来の粘着物と反射材の材質を採用して製造してもよい。
【００１５】
図４は携帯電話のような携帯用電子装置の押しボタン装置に応用される際の本発明の第２の実施の形態の導光装置を示す図である。本発明の導光装置は基板４１と、基板４１の表面４１１に印刷手段により形成される複数のパターン４２とを備えてなる。複数のパターン４２の材質は粘着物と反射材を含む。複数のパターン４２は粘着性物質を有するので、その粘着性によって複数の金属ドーム４３を複数のパターン４２と接続して、複数の金属ドーム４３をプリント配線基板（ＰＣＢ）２６に粘着して接続させることができる。
【００１６】
この第２の実施の形態において、導光板４１は導光材であり、導光材は板材または薄膜であっても好ましい。板材の材質はポリメタクリル酸・メチル樹脂（ＰＭＭＡ）であり、薄膜の材質はポリカーボネート樹脂（ＰＣ）またはポリエチレンテレフタレート樹脂（ＰＥＴ）であっても好ましい。当業者は従来の導光材を採用して導光板４１を製造してもよい。粘着物は接着剤であり、反射材は二酸化ケイ素または酸化チタンであっても好ましい。当業者は従来の粘着物と反射材の材質を採用して製造してもよい。
【００１７】
本発明の導光装置において、導光板の表面に印刷手段によって粘着物と反射材を混合してパターンを形成して、そのパターンによって光線を散乱させる。それらのパターンには粘着性があるので、該導光装置を電子装置に応用する際に、それらのパターンは直接に金属ドームと粘着して、プリント配線基板（ＰＣＢ）と粘着して接続することができる。そのため、従来のプロセスにおいて粘着剤の塗布プロセスやドームシートの粘着プロセスなどを省略することができる。
【００１８】
本発明の導光装置は発光するキーボードや押しボタン装置などに応用されることができ、そして携帯電話、ＰＤＡ、ＧＰＳ、ＤＶ、携帯用のＤＶＤ、ラップトップコンピューターなどに応用されることができる。
【産業上の利用可能性】
【００１９】
本発明は、導光装置、特に電子装置に応用される導光装置として産業に利用され得る。
【図面の簡単な説明】
【００２０】
【図１】従来の導光装置を示す図である。
【図２】従来の導光装置が携帯電話に応用される時を示す図である。
【図３】本発明の第１の実施の形態の導光装置を示す図である。
【図４】携帯電話のような携帯用電子装置の押しボタン装置に応用される際の本発明の第２の実施の形態の導光装置を示す図である。
【符号の説明】
【００２１】
１１          光源
１２          導光板
１３          パターン
２１          導光板
２２          パターン
２３          粘着層
２４          ドームシート
２４１        表面
２５          金属ドーム
２６          プリント配線基板（ＰＣＢ）
３０          導光装置
３１          基板
３１１        表面
３２          パターン
４１          導光板
４１１        表面
４２          パターン
４３          金属ドーム
４４          プリント配線基板（ＰＣＢ）
【図１】
2008204943.tif 000003
【図２】
2008204943.tif 000004
【図３】
2008204943.tif 000005
【図４】
2008204943.tif 000006